(57)【特許請求の範囲】
【請求項１】
ソケットビット用工具配置台であって、
短尺方向に沿った上端及び長尺方向に沿った相対する二辺を有するとともに上面及び底面を備えた基板、
当該基板の上面において間隔をおいて当該上面から突出するように形成された複数の配置棚、
当該複数の配置棚に摺動可能に嵌入された複数の配置ブロック、及び前記基板の底面において前記相対する二辺の位置で当該底面から突出するように形成された少なくとも二つの懸架棚であって、上端及び下端を有する各々が、上面と、当該上面において前記長尺方向に沿って延在するように形成された開口と、当該上端及び当該下端にそれぞれ形成されて当該開口と連通する二つの側部開口と、当該二つの側部開口をそれぞれ封止する二つの封止ブロックとを備えた少なくとも二つの懸架棚、を備えたトラック板と、
前記二つの封止ブロックに選択的に当接する二つの半ブロックであって、各々が内側及び当該内側に形成されて一方が他方に選択的に当接する当接面を有するとともに前記少なくとも二つの懸架棚のうち該当の懸架棚に移動可能に嵌入された基部と、各々が前記基部の内側から前記基板と略直交する方向に沿って上側に突起するように形成されて一方が他方に選択的に当接するとともに自由端を有する懸架突起部と、各々が前記懸架突起部の前記自由端から前記基板と略平行な方向に沿って突起するように形成された制限タブとを備えた二つの半ブロックをそれぞれが備えて前記少なくとも二つの懸架棚に移動可能に嵌入された複数の懸架セット、
上端、外側、及び前記少なくとも二つの懸架棚に対向する内側を有して、前記開口をカバーするように当該少なくとも二つの懸架棚に載置されて前記複数の懸架セットに結合された懸架板であって、当該ソケットビット用工具配置台の分解又は使用の方法をユーザに示すために外側に設けられた操作説明又は操作指示と、当該懸架板が前記複数の懸架セットの懸架突起部の周りに載置されるように当該懸架板を内側及び外側の間で貫通する複数の組立孔とを備えた懸架板、及び前記制限タブを介して懸架突起部の周りに設けられて、前記懸架板の前記外側及び前記懸架突起部に当接する複数の保持リング、を備えて前記トラック板と着脱可能に結合される懸架構造と、を備えたことを特徴とするソケットビット用工具配置台。
【請求項２】
前記少なくとも二つの懸架棚の各々は、前記短尺方向に沿って、幅（Ｗ）を有し、
前記開口は、前記短尺方向に沿って、前記少なくとも二つの懸架棚の各々の幅（Ｗ）より狭い幅（Ｍ）を有し、
前記複数の懸架セットにおける前記二つの半ブロックのそれぞれの前記基部の前記短尺方向に沿った幅の合計（２Ｌ）は、前記少なくとも二つの懸架棚の各々の幅（Ｗ）より狭く且つ前記開口の幅（Ｍ）より広いことを特徴とする請求項１に記載のソケットビット用工具配置台。
【請求項３】
前記複数の配置棚は、前記長尺方向の長さが前記基板の前記長尺方向の長さと等しくなるように当該基板の上面に設けられ、
前記懸架板は、前記長尺方向の長さが前記基板の前記長尺方向の長さより長く、当該懸架板の上端が前記基板の上端より上方へ延出するように設けられて、当該延出した上端の近傍に当該懸架板を内側及び外側の間で貫通する懸架孔を備え、
前記複数の懸架セットにおける前記二つの半ブロックは、それぞれの当接面どうしが当接するとともに、それぞれの制限タブが相互間にギャップを形成するように対向し、それぞれの懸架突起部が半円柱状を呈するとともに、それぞれの制限タブが半円盤状を呈することを特徴とする請求項１又は２に記載のソケットビット用工具配置台。
【発明の詳細な説明】
【技術分野】
【０００１】
本発明は、工具配置台、特に、使用時に取り出し可能にソケットビットを収納できるとともに、販売時にソケットビットを展示できるソケットビット用工具配置台に関する。
【背景技術】
【０００２】
従来のソケットビット用工具配置台は、例えば、基板及び複数の配置ブロックを有し、基板の面には複数の配置用レールが間隔をおいて設けられ、複数の配置ブロックは摺動可能に複数の配置用レールにそれぞれ設けられていた（例えば、特許文献１の図１参照）。ソケットビットを配置ブロックに懸架することによって、ソケットビットを収納したり展示したりできた。
【先行技術文献】
【特許文献】
【０００３】
【特許文献１】台湾特許公告第I３６５８３３号
【発明の概要】
【発明が解決しようとする課題】
【０００４】
しかしながら、前述したソケットビット用工具配置台は、複数のソケットビットを収納できる一方、壁やフレーム等に掛けて展示する場合には相応のスペースを占有するため、販売者にとって非常に不便であった。
また、従来のソケットビット用工具配置台は、その外観からは、ソケットビットの収納・取り出し方の見当がつかず、使用者にとっても非常に不便であった。
【０００５】
本発明は、かかる課題に鑑みてなされたものであり、その目的とするところは、使用者にとって使用し易く且つ販売者（使用者と同一であってもよい）にとってコンパクトに展示可能なソケットビット用工具配置台を提供することにある。
【課題を解決するための手段】
【０００６】
前記課題を解決するための発明は、以下のトラック板及び懸架構造を備えたソケットビット用工具配置台である。
（ａ）トラック板は、
（ａ１）短尺方向に沿った上端及び長尺方向に沿った相対する二辺を有するとともに上面及び底面を備えた基板と、
（ａ２）当該基板の上面において間隔をおいて当該上面から突出するように形成された複数の配置棚と、
（ａ３）当該複数の配置棚に摺動可能に嵌入された複数の配置ブロックと、
（ａ４）前記基板の底面において前記相対する二辺の位置で当該底面から突出するように形成された少なくとも二つの懸架棚であって、上端及び下端を有する各々が、上面と、当該上面において前記長尺方向に沿って延在するように形成された開口と、当該上端及び当該下端にそれぞれ形成されて当該開口と連通する二つの側部開口と、当該二つの側部開口をそれぞれ封止する二つの封止ブロックとを備えた少なくとも二つの懸架棚と、を備えている。
（ｂ）懸架構造は、前記トラック板と着脱可能に結合され、
（ｂ１）複数の懸架セットであって、各々が前記少なくとも二つの懸架棚に移動可能に嵌入されているとともに前記二つの封止ブロックに選択的に当接する二つの半ブロックを備え、当該二つの半ブロックの各々が、内側及び当該内側に形成されて一方が他方に選択的に当接する当接面を有するとともに前記少なくとも二つの懸架棚のうち該当の懸架棚に移動可能に嵌入された基部と、前記基部の内側から前記基板と略直交する方向に沿って上側に突起するように形成されて一方が他方に選択的に当接するとともに自由端を有する懸架突起部と、前記懸架突起部の前記自由端から前記基板と略平行な方向に沿って突起するように形成された制限タブとを備えた複数の懸架セットと、
（ｂ２）上端、外側、及び前記少なくとも二つの懸架棚に対向する内側を有して、前記開口をカバーするように当該少なくとも二つの懸架棚に載置されて前記複数の懸架セットに結合された懸架板であって、当該ソケットビット用工具配置台の分解又は使用の方法をユーザに示すために外側に設けられた操作説明又は操作指示と、当該懸架板が前記複数の懸架セットの懸架突起部の周りに載置されるように当該懸架板を内側及び外側の間で貫通する複数の組立孔とを備えた懸架板と、
（ｂ３）前記制限タブを介して懸架突起部の周りに設けられて、前記懸架板の前記外側及び前記懸架突起部に当接する複数の保持リングと、を備えている。
【０００７】
このソケットビット用工具配置台によれば、以下の効果が奏される。
１．販売者は、所定の手段を通じて懸架板を例えば壁やフレーム等に懸架することによって、ソケットビットを収納・展示できる。
２．特にソケットビットの販売時には、販売者にとって、ソケットビット用工具配置台の配置スペースを節約できる。
３．懸架板の外側に操作説明又は操作指示が設けられていることにより、使用者（販売者と同一であってもよい）は、ソケットビット用工具配置台の使用方法を簡単に把握できる。
４．使用者は、各懸架ブロックの制限タブを例えばペンチ等で切断して、保持リング及び懸架板を順に取り外し、懸架ブロックの二つの半ブロックを互いにずらすように移動させてそれぞれを懸架棚から取り外すことによって、ソケットビット用工具配置台をソケットビットホルダーとしてすぐに使用できる。
【０００８】
また、かかるソケットビット用工具配置台において、前記少なくとも二つの懸架棚の各々は前記短尺方向に沿って幅（Ｗ）を有し、前記開口は前記短尺方向に沿って前記少なくとも二つの懸架棚の各々の幅（Ｗ）より狭い幅（Ｍ）を有し、前記複数の懸架セットにおける前記二つの半ブロックのそれぞれの前記基部の前記短尺方向に沿った幅の合計（２Ｌ）は前記少なくとも二つの懸架棚の各々の幅（Ｗ）より狭く且つ前記開口の幅（Ｍ）より広いことが好ましい。
このソケットビット用工具配置台によれば、前述した第４の効果がより一層効果的に奏される。
【０００９】
更に、かかるソケットビット用工具配置台において、前記複数の配置棚は、前記長尺方向の長さが前記基板の前記長尺方向の長さと等しくなるように当該基板の上面に設けられ、前記懸架板は、前記長尺方向の長さが前記基板の前記長尺方向の長さより長く、当該懸架板の上端が前記基板の上端より上方へ延出するように設けられて、当該延出した上端の近傍に当該懸架板を内側及び外側の間で貫通する懸架孔を備え、前記複数の懸架セットにおける前記二つの半ブロックは、それぞれの当接面どうしが当接するとともに、それぞれの制限タブが相互間にギャップを形成するように対向し、それぞれの懸架突起部が半円柱状を呈するとともに、それぞれの制限タブが半円盤状を呈することが好ましい。
このソケットビット用工具配置台によれば、懸架板の懸架孔を壁、フレームのフックに懸架することによって、前述した第１の効果がより一層効果的に奏される。
【発明の効果】
【００１０】
使用し易く且つコンパクトに展示可能なソケットビット用工具配置台を提供できる。
【図面の簡単な説明】
【００１１】
【図１】本実施形態のソケットビット用工具配置台の正面側から視た斜視図である。
【図２】本実施形態のソケットビット用工具配置台の底面側から視た斜視図である。
【図３】図２における３−３線の断面図である。
【図４】本実施形態のソケットビット用工具配置台の底面側から視た部分分解斜視図である。
【図５】図４の部分分解斜視図の部分拡大図である。
【図６】本実施形態のソケットビット用工具配置台における二つの半ブロックを懸架棚に取り付ける工程の一例、工程（Ａ）乃至工程（Ｅ）、を示す説明図である。
【図７】本実施形態のソケットビット用工具配置台において、ペンチを用いて懸架ブロックの制限タブを切断する動作の一例を示す説明図である。
【図８】本実施形態のソケットビット用工具配置台において、保持リング及び懸架板を順に取り外す動作の一例を示す説明図である。
【図９】本実施形態のソケットビット用工具配置台において、懸架ブロックの二つの半ブロックが封止ブロックから離れた状態の一例を示す説明図である。
【図１０】本実施形態のソケットビット用工具配置台において、懸架ブロックの二つの半ブロックを互いにずらすように移動させた状態の一例を示す説明図である。
【発明を実施するための形態】
【００１２】
以下、添付図面を参照しつつ、本発明の好適な実施形態について詳細に説明する。尚、下記の実施形態は、本発明の好適な実施の形態を示したものにすぎず、本発明の技術的範囲は、下記の実施形態それ自体に何ら限定されるものではない。
【００１３】
図１乃至図４に例示されるように、本実施形態のソケットビット用工具配置台は、トラック板１０及び懸架構造２０を備えている。トラック板１０は、例えばアルミを押し出して成形された直方形を呈する構造物であり、基板１１と、複数の配置棚１２と、複数の配置ブロック１３と、少なくとも二つの懸架棚１４とを備えている。
同図の例示によれば、基板１１は、矩形を呈し、複数の配置棚１２は、各々の長尺方向に沿った長さが基板１１の同方向に沿った長さと一致するように当該基板１１の上面に間隔をおいて設けられ、複数の配置ブロック１３は、各々が摺動可能に配置棚１２に取り付けられ、ソケットビットを懸架可能な構成となっている。
【００１４】
図４及び図５に例示されるように、前述した少なくとも二つの懸架棚１４は、長尺方向の長さが基板１１の同方向の長さと一致するように、基板１１の底面における相対する側に設けられる。各懸架棚１４には、基板１１と略直交する方向に深さを有し、長尺方向に沿って延在しつつ、短尺方向に沿った幅Ｗを有する摺動溝部が形成される。この摺動溝部の外側に懸架棚１４の幅Ｗより狭い幅Ｍを有する開口１４１が形成され、この摺動溝部における長尺方向に対をなす両端にそれぞれ二つの側部開口１４２が形成される。これら二つの側部開口１４２に二つの封止ブロック１４３がそれぞれ取り付けられて懸架棚１４の両端が封止されるようになっている。
【００１５】
前述した懸架構造２０は、着脱可能にトラック板１０に取り付けられ、複数の懸架ブロック２１と、懸架板２２と、複数の保持リング２３とを備えている。これらの懸架ブロック２１は、封止ブロック１４３にそれぞれ当接するように摺動可能に懸架棚１４に取り付けられる。
各懸架ブロック２１は、二つの半ブロック２４からなり、各半ブロック２４は、基部２４１と、懸架突起部２４２と、制限タブ２４３とを有している。基部２４１は、短尺方向に沿った幅Ｌを有する矩形を呈し、摺動可能に懸架棚１４に嵌入し、二つの半ブロック２４どうしが対向する側である内側には、当接面２４４が形成されている。
この二つの半ブロック２４が当接面２４４を互いに当接するように組み合わせられた二つの基部２４１の短尺方向に沿った幅の合計値である２Ｌは、懸架棚１４の幅Ｗより狭く、且つ、懸架棚１４の開口１４１の幅Ｍより広い（すなわち、Ｍ＜２Ｌ＜Ｗ）。二つの半ブロック２４は、開口１４１から脱離しないように懸架棚１４に取り付け可能に構成されている（図３参照）。
【００１６】
更に、前述した半ブロック２４の基部２４１の幅Ｌが懸架棚１４の開口１４１の幅Ｍより狭い（すなわち、Ｌ＜Ｍ）ことから、半ブロック２４の基部２４１が開口１４１を通って懸架棚１４に取り付け可能である。つまり、封止ブロック１４３が懸架棚１４の両端を封止するべく側部開口１４２に取り付けられた状態であっても、この二つの半ブロック２４の基部２４１はそれぞれ懸架棚１４に取り付け可能である（後述する図６の（Ａ）参照）。
【００１７】
前述した半ブロック２４の懸架突起部２４２は、半円柱状を呈し、基部２４１の内側近傍に延設される。また、これら二つの半ブロック２４が組み合わせられるとき、それぞれの懸架突起部２４２も互いに当接する。
半ブロック２４の制限タブ２４３は、半円盤状を呈し、懸架突起部２４２の末端に延設され、外径が懸架突起部２４２の外径より大きい。これら二つの半ブロック２４は、当接面２４４どうしが当接するように組み合わせられて懸架棚１４に取り付けられるとき、これらの制限タブ２４３どうしが互いにギャップを介して対向して円盤状を呈する。
【００１８】
前述した懸架板２２は、開口１４１をカバーするように、懸架棚１４に取り付けられた懸架ブロック２１に装着されるように構成されており、また、外側に取扱説明２５や使用説明２５等が例えば印刷されている。この説明により、使用者は、このソケットビット用工具配置台の使用方法を把握できる。
また、懸架板２２は、長尺方向の長さが基板１１の同方向の長さより長くなるように設けられ、上端が基板１１の上端より上方へ延出し、当該委延出した上端に懸架孔２２２が形成されている。
また、懸架板２２における懸架ブロック２１と対応する箇所に組立孔２２１が形成されており、懸架板２２が懸架ブロック２１と係合するとき、当該懸架ブロック２１における二つの半ブロック２４の制限タブ２４３どうしを、相互間のギャップが狭くなる方向に弾性変形させつつ組立孔２２１を通過させ、懸架板２２の外側に突出させることによって、二つの半ブロック２４の懸架突起部２４２を懸架板２２の組立孔２２１に貫設させることができる。
【００１９】
前述した保持リング２３は、中心孔を有して、懸架ブロック２１に環設される。この保持リング２３と懸架ブロック２１とを係合させるとき、前述したように、制限タブ２４３を弾性変形させて保持リング２３の中心孔を通過するように外側に突出させると、二つの半ブロック２４の懸架突起部２４２を保持リング２３の中心孔に貫設させるとともに、保持リング２３が懸架板２２の外側及び制限タブ２４３に当接することとなる。この組み立てによれば、懸架板２２を容易に懸架棚１４に堅固に取り付け可能となる。
【００２０】
図６の（Ａ）乃至（Ｅ）の工程に例示されるように、二つの半ブロック２４を懸架棚１４に嵌合して懸架板２２及び保持リング２３を組み立てる場合、先ず、二つの半ブロック２４の基部２４１をそれぞれ懸架棚１４に取り付けて（工程（Ａ）参照）、これら基部２４１の当接面２４４が互いに対向するように半ブロック２４を移動させる（工程（Ｂ）、工程（Ｃ）参照）。
次に、互いに対向するように組み合わせられた二つの半ブロック２４を懸架棚１４の一側の封止ブロック１４３に当接するように移動させると（工程（Ｄ）参照）、懸架板２２及び保持リング２３が順に懸架ブロック２１の制限タブ２４３に貫かれて、懸架板２２及び保持リング２３に対し懸架突起部２４２を環設させたこととなる。
詳しくは、懸架ブロック２１の制限タブ２４３が、懸架板２２の組立孔２２１及び保持リング２３の中心孔を通過して外側に突出しながら保持リング２３の外周面に係合される。これにより、懸架板２２は、懸架棚１４をカバーするようにトラック板１０に取り付け可能となる（図２参照）。
【００２１】
前述した本実施形態のソケットビット用工具配置台は、懸架板２２の懸架孔２２２を例えば壁やフレーム等のフックに懸架できるため、ソケットビットを収納したり展示したりできる。また、ソケットビットの販売時に、ソケットビット用工具配置台を配置するスペースを節約できる。更に、取扱説明２５や使用説明２５等が直接に懸架板２２の外側に印刷されていることにより、使用者がソケットビットの使用方法を容易に把握できる。
【００２２】
図７乃至図１０に例示されるように、本実施形態のソケットビット用工具配置台の使用時には、懸架板２２に印刷された取扱説明２５や使用説明２５等に基づいて容易に操作できる。
例えば図７及び図８に例示されるように、使用者がペンチ４０を用いて懸架ブロック２１の制限タブ２４３を切断して保持リング２３及び懸架板２２を順に取り外すことができる。更に、図９及び図１０に例示されるように、保持リング２３及び懸架板２２を取り外して、懸架ブロック２１の二つの半ブロック２４をそれぞれの当接面２４４どうしが対向しないように移動させると、封止ブロック１４３が懸架棚１４の両端の側部開口１４２に取り付けられた状態で、半ブロック２４を容易に懸架棚１４から取り外すことができる。
【符号の説明】
【００２３】
１０    トラック板      
１１    基板
１２    配置棚          
１３    配置ブロック
１４    懸架棚          
１４１  開口
１４２  側部開口        
１４３  封止ブロック
２０    懸架構造        
２１    懸架ブロック
２２    懸架板          
２２１  組立孔
２２２  懸架孔          
２３    保持リング
２４    半ブロック      
２４１  基部
２４２  懸架突起部      
２４３  制限タブ
２４４  当接面          
２５    取扱説明、使用説明
【要約】      （修正有）【課題】使用者にとって使用し易く且つ販売者にとってコンパクトに展示可能なソケットビット用工具配置台を提供する。【解決手段】ソケットビット用工具配置台はトラック板１０及び懸架構造２０を備える。トラック板１０は、基板１１と、配置棚１２と、配置棚１２に摺動可能に嵌入された配置ブロック１３と、懸架棚とを備える。トラック板１０と着脱可能に結合された懸架構造は、各々が懸架棚に移動可能に嵌入されて封止ブロック１４３に当接する基部１１と懸架突起部と制限タブとを有する二つの半ブロックを備えた懸架セットと、工具配置台の分解又は使用の方法に係る外側に設けられた操作説明又は操作指示及び懸架板を貫通する組立孔を有し開口をカバーするように懸架棚に載置され懸架セットに結合された懸架板と、制限タブを介して懸架板及び懸架突起部に当接する保持リングとを備える。【選択図】図１【図１】
0005603989.tif 000002
【図２】
0005603989.tif 000003
【図３】
0005603989.tif 000004
【図４】
0005603989.tif 000005
【図５】
0005603989.tif 000006
【図６】
0005603989.tif 000007
【図７】
0005603989.tif 000008
【図８】
0005603989.tif 000009
【図９】
0005603989.tif 000010
【図１０】
0005603989.tif 000011